(57)【要約】【課題】    取付作業や交換作業の作業性に優れたサッシ窓を提供すること。【解決手段】上支持枠２１、下支持枠２２、および左右の縦支持枠を四周枠組みして構成された支持枠２０と、上本窓枠３１、下本窓枠３２、および左右の縦本窓枠を四周枠組みして構成された本窓枠３０とが、互いに連結部材４１で室内側から連結され、この連結部材４１を介して外壁１の開口部５に固定されている。従って、サッシ窓が設けられる建物外壁１の位置等に応じて取付手順を適宜選択することができ、取付作業の作業性を向上させることができるとともに、連結部材４１による連結を室内側から外すことで、支持枠２０を開口部５から取り外さなくても本窓枠３０を交換することができ、交換作業を容易に実施することができる。【選択図】  図１
2005320741.tif 000002
【特許請求の範囲】
【請求項１】
建物外壁の開口部に固定される支持枠と、この支持枠に着脱自在に取り付けられるとともに、内部にパネル体を支持する本窓枠とを備え、
前記支持枠は、上支持枠、下支持枠、および左右の縦支持枠を四周枠組みして構成され、前記本窓枠は、上本窓枠、下本窓枠、および左右の縦本窓枠を四周枠組みして構成され、
前記上支持枠および上本窓枠、前記下支持枠および下本窓枠、前記縦支持枠および縦本窓枠は、互いに連結部材で室内側から連結されるとともに、当該連結部材を介して前記外壁の開口部に固定されているサッシ窓。
【請求項２】
前記支持枠の上支持枠、下支持枠、および縦支持枠は、見付け方向内側に突出した支持片部を有し、前記本窓枠の上本窓枠、下本窓枠、および縦本窓枠は、それぞれ見付け方向外側に突出して前記支持枠の支持片部の室内側に沿って延びる取付片部を有しており、
前記連結部材は、前記本窓枠の取付片部の室内側に配設され、当該連結部材、本窓枠の取付片部、および前記支持枠の支持片部は、室内側から螺合されるビスにより係合されている請求項１に記載のサッシ窓。
【請求項３】
前記連結部材は、短尺の金属製であり、前記上支持枠および上本窓枠、前記下支持枠および下本窓枠、前記縦支持枠および縦本窓枠、の各々を少なくとも２箇所にて連結している請求項１または請求項２に記載のサッシ窓。
【請求項４】
前記連結部材は、室内側に開口した断面略コ字形に形成されており、この連結部材のコ字形開口部には、前記外壁の開口部に沿って上下左右の四周に設けられる充填部材が圧入されている請求項１から請求項３のいずれかに記載のサッシ窓。
【請求項５】
前記充填部材は、木質材料からなり、当該充填部材には、前記外壁の室内側に設けられる内装材が固定されている請求項４に記載のサッシ窓。
【発明の詳細な説明】
【技術分野】
【０００１】
本発明は、サッシ窓に関する。
【背景技術】
【０００２】
建物外壁の開口部に固定された開口枠と、この開口枠に固定されて内部にガラスパネルを支持するサッシ窓枠とを備えたサッシ窓が知られている（例えば、特許文献１参照）。
特許文献１に記載されたサッシ窓の開口枠は、木製であり外壁開口部の室内側に沿って固定されている。そして、サッシ窓枠は、四周枠組みされたアルミ形材製であり、その上および左右の枠体が開口枠の室外面に室外側からのビスにより固定されるとともに、開口枠の見込み面に室内側からのビスにより固定されている。
【０００３】
【特許文献１】特許第３４７７４２１号公報（図１、２）
【発明の開示】
【発明が解決しようとする課題】
【０００４】
しかしながら、前記特許文献１に記載のサッシ窓では、外壁の開口部への取り付けの際に、まず開口枠を開口部に固定しておき、その後にサッシ窓枠を室外側から開口枠にセットし、室外側および室内側からサッシ窓枠をビス止め固定しなければならず、取付作業が面倒であるという問題がある。さらに、サッシ窓枠を交換する必要が生じた際には、室内外のビスを外すとともに、サッシ窓枠を開口枠から室外側に取り外し、新たなサッシ窓を室外側から取り付けなければならず面倒であり、特に高所に設けられた窓では交換作業に多大の手間を要するという問題がある。
【０００５】
本発明の目的は、取付作業や交換作業の作業性に優れたサッシ窓を提供することにある。
【課題を解決するための手段】
【０００６】
本発明のサッシ窓は、建物外壁の開口部に固定される支持枠と、この支持枠に着脱自在に取り付けられるとともに、内部にパネル体を支持する本窓枠とを備え、前記支持枠は、上支持枠、下支持枠、および左右の縦支持枠を四周枠組みして構成され、前記本窓枠は、上本窓枠、下本窓枠、および左右の縦本窓枠を四周枠組みして構成され、前記上支持枠および上本窓枠、前記下支持枠および下本窓枠、前記縦支持枠および縦本窓枠は、互いに連結部材で室内側から連結されるとともに、当該連結部材を介して前記外壁の開口部に固定されていることを特徴とする。
【０００７】
ここで、窓枠体の内側に支持されたパネル体としては、窓枠体に移動不能に支持されて嵌め殺し（Ｆｉｘ）窓を構成するガラスパネル等の面材であってもよく、また窓枠体に開閉可能に支持された１枚または複数枚の障子であってもよい。パネル体が障子である場合には、例えば、引き違い窓や片引き窓、開き窓、辷り出し窓等、任意の開閉形式のサッシ窓が構成可能である。
【０００８】
このような本発明によれば、支持枠と本窓枠とが連結部材で連結されているため、外壁開口部へのサッシ窓の取付時において、まず支持枠を開口部に取り付けておいてから本窓枠を連結部材で室内側から連結して取り付けることもでき、また支持枠と本窓枠とを連結部材で連結した状態で外壁開口部に取り付けることもできる。従って、サッシ窓が設けられる建物外壁の位置等に応じて取付手順を適宜選択することができ、作業性を向上させることができる。この際、連結部材により支持枠および本窓枠を連結するとともに、連結部材を外壁開口部に固定することで、本窓枠の取付強度を高めることができる。
また、サッシ窓の交換時において、支持枠と本窓枠との連結部材による連結を室内側から外すことで、本窓枠を取り外すことができるとともに、支持枠を外壁開口部から取り外す必要がないので、本窓枠の交換作業を容易に実施することができる。
【０００９】
この際、本発明のサッシ窓では、前記支持枠の上支持枠、下支持枠、および縦支持枠は、見付け方向内側に突出した支持片部を有し、前記本窓枠の上本窓枠、下本窓枠、および縦本窓枠は、それぞれ見付け方向外側に突出して前記支持枠の支持片部の室内側に沿って延びる取付片部を有しており、前記連結部材は、前記本窓枠の取付片部の室内側に配設され、当該連結部材、本窓枠の取付片部、および前記支持枠の支持片部は、室内側から螺合されるビスにより係合されていることが好ましい。
このような構成によれば、支持枠の支持片部の室内側に本窓枠の取付片部を設ける、つまり本窓枠を室内側から支持枠に取り付けることで、本窓枠の取付作業および交換作業が室内側から実施でき、これらの作業性をより一層高めることができる。すなわち、従来のサッシ窓が２階以上の階であって外部にバルコニー等がない外壁に設けられた場合には、足場やクレーン等の大掛かりな設備を用いなければ、室外側から本窓枠を取り付けることができない。これに対して、本発明のサッシ窓では、本窓枠が室内側から取り付け、または交換可能になるため、大掛かりな設備が不要で簡単かつ迅速に取り付け、交換作業ができる。
また、ビスで螺合して支持枠の支持片部と本窓枠の取付片部と連結部材とを連結することで、本窓枠の取付作業が容易にできるとともに、ビスを緩めることで連結部材、取付片部、支持片部の連結を外すことができ、本窓枠の交換作業が容易に実施できる。
そして、見付け方向外側に突出した取付片部を有した本窓枠としては、製品バリエーションや製品点数が非常に多くレギュラー製品である半外付け用サッシ枠が利用でき、多種多様なサイズや形式の窓を安価に構成することができる。また、半外付け用サッシ枠において通常外壁に固定するために設けられた取付片部を、支持枠の支持片部に係合させて本窓枠を取り付けることで、半外付け用サッシ枠に対する加工の必要がなく、コスト増加を招かずに半外付け用サッシ枠を転用することができる。
ここで、支持枠の支持片部と本窓枠の取付片部との間には、これらの間をシールするシール材が介装されていることが好ましく、シール材を介して支持枠および本窓枠が連結されることで止水性能を確保することができる。
【００１０】
さらに、本発明のサッシ窓では、前記連結部材は、短尺の金属製であり、前記上支持枠および上本窓枠、前記下支持枠および下本窓枠、前記縦支持枠および縦本窓枠、の各々を少なくとも２箇所にて連結していることが好ましい。
このような構成によれば、連結部材を短尺の金属製ピース材で構成し、上下左右の各枠体において、それぞれ複数箇所で支持枠および本窓枠を連結することで、所定の連結強度を確保しつつ、連結部材の部品点数の削減を図ることができる。すなわち、サッシ窓の見付け幅寸法や高さ寸法が比較的小さい場合には、２箇所の連結部材で連結したり、見付け幅寸法や高さ寸法が比較的大きい場合には、３箇所以上の連結部材で連結したりすることで、サッシ窓の大きさに応じた所定の連結強度が確保できる。さらに、連結部材をピース材とすることで、上下左右の各枠体の長さに関わりなく連結部材が共通化でき、部品点数の削減が可能である。
【００１１】
また、本発明のサッシ窓では、前記連結部材は、室内側に開口した断面略コ字形に形成されており、この連結部材のコ字形開口部には、前記外壁の開口部に沿って上下左右の四周に設けられる充填部材が圧入されていることが好ましい。
このような構成によれば、連結部材に充填部材を圧入することで、略コ字形に開口した連結部材の強度を高めることができる。また、充填部材を開口部の四周に沿って設けることで、支持枠と本窓枠との間の室内側にできた隙間を充填部材によって塞ぐことができ、サッシ窓における断熱性能を高めることができる。
【００１２】
この際、本発明のサッシ窓では、前記充填部材は、木質材料からなり、当該充填部材には、前記外壁の室内側に設けられる内装材が固定されていることが好ましい。
このような構成によれば、充填部材を木製や再生木等の木質材料から構成し、この充填部材に内装材を釘打ち等により固定することで、充填部材を内装材の下地としても利用することができる。
【発明を実施するための最良の形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
〔第１実施形態〕
図１は、本発明の第１実施形態に係るサッシ窓である引違い窓１０が設けられた建物の外壁１部分を示す縦断面図である。図２は、外壁１部分を示す横断面図である。図３、４は、それぞれ引違い窓１０の上枠部分、および下枠部分を拡大して示す縦断面図である。図５は、引違い窓１０の縦枠部分を拡大して示す横断面図である。
【００１４】
図１、２において、建物の外壁１は、外壁躯体としての壁パネル２と、この壁パネル２の室外面に設けられた外壁仕上げ材としての外装材３と、壁パネル２の室内面に設けられた内部仕上げ材としての石膏ボード等の内装材４とを有して構成されている。壁パネル２は、格子状等に組んだパネル芯材２Ａと、このパネル芯材２Ａの室外側に固定されたパネル面材２Ｂとで形成されている。また、外装材３は、壁パネル２の室外面にモルタルを所定厚さに吹きつけて形成したものでもよく、また予め板状に成形したセメント成形板等を壁パネル２の室外面に取り付けたものでもよい。この外壁１には、矩形状の開口部５が設けられており、引違い窓１０は、開口部５内における外壁１の室外面１Ａよりも見込み方向室内寄りに設けられた、いわゆる内付けサッシ窓である。この引違い窓１０の室内側には、内装材４の開口端縁の室内側を覆う木製の額縁材（ケーシング）６が四周連続して取り付けられている。
【００１５】
引違い窓１０は、上枠体１１、下枠体１２、および左右の縦枠体１３からなる窓枠体１４と、この窓枠体１４の内側に開閉自在に支持されたパネル体としての室内外一組の障子１５と、これらの障子１５の室外側に設けられた網戸１６とを有して構成されている。窓枠体１４は、壁パネル２に固定される支持枠（捨て枠）２０と、この支持枠２０に着脱自在に取り付けられた本窓枠３０とを有している。支持枠２０は、上支持枠２１、下支持枠２２、および左右の縦支持枠２３を四周枠組みして形成され、本窓枠３０は、上本窓枠３１、下本窓枠３２、および左右の縦本窓枠３３を四周枠組みして形成されている。そして、支持枠２０の上支持枠２１、下支持枠２２、および縦支持枠２３と、本窓枠３０の上本窓枠３１、下本窓枠３２、および縦本窓枠３３とは、それぞれ連結部材４１で連結されており、この連結部材４１には、内装材４を釘打ち固定する下地材（充填部材）４２が嵌め込まれている。また、、障子１５および網戸１６は、本窓枠３０の上本窓枠３１および下本窓枠３２に設けられた後述するレール部に戸車が案内され、図２の左右方向に移動可能になっている。障子１５は、四周框組した上下左右の框材１７と、これらの框材１７の内部に嵌め込んだガラスパネル１８とを有して形成されている。
【００１６】
図３に示すように、上枠体１１は、支持枠２０の上支持枠２１と、本窓枠３０の上本窓枠３１とを有して構成されている。これらの上支持枠２１と上本窓枠３１とは、後述する連結部材４１（４１１）で連結されており、この連結部材４１１には、下地材４２（４２１）が固定されている。
上支持枠２１は、アルミ押出形材製であって、外壁１の開口部５の上縁に沿って見込み方向室外側に延びる見込み片部２１１と、この見込み片部２１１の室外側端縁に連続して上方に折れ曲がり、壁パネル２の室外面に沿って延びる固定片部２１２とを有している。この固定片部２１２は、室外側からのビス７により壁パネル２に固定されるとともに、固定片部２１２と壁パネル２との間には、図示しないシール材や防水シート等を用いた止水構造が設けられている。そして、上支持枠２１は、固定片部２１２よりも室内側において見込み片部２１１から下方（見付け方向内側）に延びる見付け片部２１３と、この見付け片部２１３の下端（見付け方向内端）に連続して見込み方向室外側に延びる折返し片部２１４とを有している。この折返し片部２１４には、その先端から下方に延びる垂下片２１４Ａと、その下面において上本窓枠３１を位置決めする位置決め部２１４Ｂとが設けられている。さらに、上支持枠２１は、見付け片部２１３よりも室内側において見込み片部２１１から下方（見付け方向内側）に延びる支持片部２１５を有している。この支持片部２１５の下端部室内側には、シール材２１５Ａが取り付けられている。
【００１７】
本窓枠３０の上本窓枠３１は、室外側に配置されるアルミ押出形材製の室外部材３１Ａと、室内側に配置される樹脂製の室内部材３１Ｂとを備えて構成されている。上本窓枠３１の室外部材３１Ａは、上支持枠２１の見込み片部２１１に対向して室内外に延びる上面部３１１と、この上面部３１１から下方に延出して室外側の障子１５の上框を案内するレール部３１２および網戸１６の上框を案内する網戸レール部３１３と、上面部３１１の室内側端部から上方（見付け方向外側）に突出し、上支持枠２１の支持片部２１５の室内側に沿って延びる取付片部３１４とを有している。この取付片部３１４は、連結部材４１１を貫通するビス４５によって、上支持枠２１の支持片部２１５に係合され、これにより上本窓枠３１が上支持枠２１に連結されている。そして、このビス４５を締め付けることで、取付片部３１４および支持片部２１５が圧接され、支持片部２１５のシール材２１５Ａが取付片部３１４に密接するようになっている。また、上本窓枠３１の室内部材３１Ｂは、室外部材３１Ａのレール部３１３に係合するとともに、ビス３１５で連結部材４１１および下地材４２１に固定されている。そして、室内部材３１Ｂは、下方に延出して室内側の障子１５の上框を案内するレール部３１６と、内装材４の開口端縁と所定の間隔を有して室内側に延びる係止片部３１７とを有している。この係止片部３１７と内装材４の開口端縁との間には、額縁材６を支持するための樹脂押出形材製のケーシングアタッチメント４３が係止片部３１７にビス止め固定されている。このケーシングアタッチメント４３には、室内側に開口した凹溝部４３Ａが形成されており、この凹溝部４３Ａに額縁材６の突出部６Ａが挿入されて額縁材６が取り付けられている。なお、ケーシングアタッチメント４３は、樹脂製に限らず、木製やアルミ形材製でもよい。
【００１８】
次に、図４に示すように、下枠体１２は、支持枠２０の下支持枠２２と、本窓枠３０の下本窓枠３２と有して構成されている。これらの下支持枠２２と下本窓枠３２とは、連結部材４１（４１２）で連結されており、この連結部材４１２には、下地材４２（４２２）が固定されている。
下支持枠２２は、アルミ押出形材製であって、外壁１の開口部５の下縁に沿って見込み方向室外側に延びる見込み片部２２１と、この見込み片部２１１に連続して下方に延び、壁パネル２の室外面に沿って延びる固定片部２２２と、見込み片部２２１に連続して固定片部２２２よりも室外側に延びる水切り片部２２３とを有している。固定片部２２２は、前述の上支持枠２１の固定片部２１２と同様に、室外側からのビス７により壁パネル２に固定されるとともに、固定片部２２２と壁パネル２との間に止水構造が設けられている。そして、下支持枠２２は、固定片部２２２よりも室内側において見込み片部２２１から下方に延びる２つの載置片部２２４を有し、この載置片部２２４によって壁パネル２に載置されている。さらに、下支持枠２２は、室外側の載置片部２２４の上方に延びる見付け片部２２５と、室内側の載置片部２２４の上方に延びる支持片部２２６とを有している。見付け片部２２５の基端部には、見付け片部２２５と支持片部２２６との間の等圧空間２２７に浸入した雨水等を室外空間に排出する排水弁２２５Ａが設けられている。また支持片部２２６の上端部室内側には、シール材２２６Ａが取り付けられている。
【００１９】
本窓枠３０の下本窓枠３２は、それぞれアルミ押出形材製の室外部材３２Ａおよび室内部材３２Ｂと、これらを連結する樹脂製の断熱部材３２Ｃとを有して構成されている。
下本窓枠３２の室外部材３２Ａは、下支持枠２２の見込み片部２２１に対向して室内外に延びる底面部３２１と、この底面部３２１の上方に対向する上面部３２２と、この上面部３２２から上方に延出して室外側の障子１５の戸車を案内するレール部３２３および網戸１６の戸車を案内する網戸レール部３２４と、底面部３２１の室内側端部から下方（見付け方向外側）に突出し、下支持枠２２の支持片部２２６の室内側に沿って延びる取付片部３２５とを有している。この取付片部３２５は、下支持枠２２の室内側の載置片部２２４にビス４５で係合された連結部材４１２と、下支持枠２２の支持片部２２６との間に挿入され、これにより下支持枠２２と下本窓枠３２とが連結され、支持片部２２６のシール材２２６Ａが取付片部３２５に密接するようになっている。そして、室外部材３２Ａの底面部３２１下面には、下支持枠２２の見付け片部２２５上端が当接し、等圧空間２２７が閉鎖されるようになっている。また、下本窓枠３２の室内部材３２Ｂは、連結部材４１２上に載置されるとともに、上方に延出して室内側の障子１５の戸車を案内するレール部３２６と、内装材４の開口端縁と所定の間隔を有して室内側に延びる係止片部３２７とを有している。この係止片部３２７と内装材４の開口端縁との間には、前述の上本窓枠３１と同様に、額縁材６を支持するためのケーシングアタッチメント４３が係止片部３２７にビス止め固定されている。
【００２０】
次に、図５に示すように、縦枠体１３は、支持枠２０の縦支持枠２３と、本窓枠３０の縦本窓枠３３とを有して構成されている。これらの縦支持枠２３と縦本窓枠３３とは、連結部材４１（４１３）で連結されており、この連結部材４１３には、下地材４２（４２３）が固定されている。
縦支持枠２３は、アルミ押出形材製であって、外壁１の開口部５の上縁に沿って見込み方向室外側に延びる見込み片部２３１と、この見込み片部２３１の室外側端縁に連続して側方（見付け方向外側）に折れ曲がり、壁パネル２の室外面に沿って延びる固定片部２３２とを有している。この固定片部２３２は、室外側からのビス７により壁パネル２に固定されるとともに、固定片部２３２と壁パネル２との間には、図示しないシール材や防水シート等を用いた止水構造が設けられている。そして、縦支持枠２３は、固定片部２３２よりも室内側において見込み片部２３１から見付け方向内側に延びる見付け片部２３３と、この見付け片部２３３の見付け方向内端に連続して見込み方向室外側に延びる折返し片部２３４とを有している。この折返し片部２３４の基端部には、見付け方向内端に突出するシール材２３４Ａが設けられている。さらに、縦支持枠２３は、見付け片部２３３よりも室内側において見込み片部２３１から見付け方向内側に延びる支持片部２３５を有している。この支持片部２３５の先端部には、シール材２３５Ａが取り付けられている。
【００２１】
本窓枠３０の縦本窓枠３３は、室外側に配置されるアルミ押出形材製の室外部材３３Ａと、室内側に配置される樹脂製の室内部材３３Ｂとを備えて構成されている。縦本窓枠３３の室外部材３３Ａは、縦支持枠２３の見込み片部２３１に対向して室内外に延びる側面部３３１と、この側面部３３１から見付け方向内側に延出して室外側の障子１５の縦框を案内する引寄せ片３３２および網戸１６の縦框を案内する係止片３３３と、側面部３３１の室内側よりの位置から見付け方向外側に突出し、縦支持枠２３の支持片部２３５の室内側に沿って延びる取付片部３３４とを有している。この取付片部３３４は、連結部材４１３を貫通するビス４５によって、縦支持枠２３の支持片部２３５に連結されている。そして、このビス４５を締め付けることで、取付片部３３４および支持片部２３５が圧接され、支持片部２３５のシール材２３５Ａが取付片部３３４に密接するようになっている。そして、室外部材３３Ａの室外側端部には、見付け方向外側に突出し、縦支持枠２３の折返し片部２３４に当接または近接する突出片部３３６が設けられており、この突出片部３３６の室内側位置において折返し片部２３４のシール材２３４Ａが側面部３３１に当接している。また、縦本窓枠３３の室内部材３３Ｂは、室外部材３３Ａにビス止めされるとともに、ビス３３５で連結部材４１３および下地材４２３に固定されている。そして、室内部材３３Ｂは、室外側の障子１５の縦框室内側面に当接するシール材３３７と、内装材４の開口端縁と所定の間隔を有して室内側に延びる係止片部３３８とを有している。この係止片部３３８と内装材４の開口端縁との間には、前述の上本窓枠３１および下本窓枠３２と同様に、額縁材６を支持するためのケーシングアタッチメント４３が係止片部３３８にビス止め固定されている。
【００２２】
次に、支持枠２０と本窓枠３０とを連結する連結部材４１（４１１，４１２，４１３）、および充填部材としての下地材４２（４２１，４２２，４２３）について、図６〜１０に基づいて詳しく説明する。
図６は、外壁１の一部を省略して室内側から見た窓枠体１４を示す正面図である。図７８は、それぞれ縦枠体１３および外壁１の一部を示す斜視図である。図９は、連結部材４１を示す斜視図である。図１０(Ａ)〜(Ｃ)は、連結部材４１を示す三面図である。
連結部材４１は、図６に示すように、上枠体１１および下枠体１２において、それぞれ左右両端寄りの２箇所に設けられ、縦枠体１３において、それぞれ上下端寄りおよび中央の３箇所に設けられている。そして、下地材４２は、外壁１の開口部５に沿って上下左右の四周に連続して設けられている。
【００２３】
連結部材４１は、図７〜１０に示すように、室内側に向かって開口した断面略コ字形の金属製（ＳＵＳ製やアルミ製等）ピース材（短尺部材）であって、第１〜３の片部４１Ａ，４１Ｂ，４１Ｃを有して形成されている。連結部材４１の第１片部４１Ａは、外壁１の開口部５周面に対向して設けられ、ビス４４によって壁パネル２の芯材２Ａに固定されるようになっている。第２片部４１Ｂは、本窓枠３０の取付片部３１４，３２５，３３４に対向して設けられ、上枠体１１および縦枠体１３における取付片部３１４，３３４および支持片部２１５，２３５にビス４５で固定され、また下枠体１２における下支持枠２２の載置片部２２４にビス４５で固定されるようになっている。第３片部４１Ｃは、上枠体１１における上本窓枠３１の室内部材３１Ｂ、下枠体１２における下本窓枠３２の室内部材３２Ｂ、および縦枠体１３における縦本窓枠３３の側面部３３１に、それぞれ対向して設けられている。そして、第１片部４１Ａには、ビス４４を挿通するための挿通孔４１Ｄと、両端に折曲部４１Ｅとが設けられている。第２片部４１Ｂには、ビス４５を挿通するための挿通孔４１Ｆと、両端に折曲部４１Ｇとが設けられている。第３片部４１Ｃには、必要に応じて上本窓枠３１の室内部材３１Ｂや縦本窓枠３３の室内部材３３Ｂを固定するためのビス３１５，３３５を螺合するためのビス孔４１Ｈが設けられている。
【００２４】
下地材４２は、連結部材４１のコ字形断面内に収まる矩形断面を有した木製部材であり、連結部材４１の第１片部４１Ａの折曲部４１Ｅと第３片部４１Ｃとの間に挟持され、連結部材４１の第２片部４１Ｂの折曲部４１Ｇにより室内外方向の位置決めされている。そして、下地材４２は、内装材４を釘打ち等で固定するための下地として機能するとともに、連結部材４１に嵌め込むことで連結部材４１の剛性を高める効果を有している。さらに、下地材４２は、支持枠２０の室内側および本窓枠３０と壁パネル２との間の空間を塞いで、室内外を断熱する断熱材としても有効に機能するようになっている。
なお、本実施形態では充填部材として木製の下地材４２を採用したが、これに限らず、樹脂製の中空部材であってもよく、また木粉を樹脂で固めて成形した再生木等で形成されたものであってもよい。ただし、木製とすることで下地材４２は、内装材４を釘打ちにより固定する場合の固定強度を向上させることができるようになっている。
【００２５】
次に、引違い窓１０の改装方法について、図１１に基づいて説明する。
図１１は、引違い窓１０の改装方法を説明する縦断面図である。図１２は、改装した嵌め殺し窓１０Ａを示す縦断面図である。図１３は、改装した嵌め殺し窓１０Ａを示す横断面図である。
ここで、引違い窓１０における本窓枠３０は、見付け方向外側に突出した取付片部３１４，３２５，３３４を四周に有した半外付け用サッシ枠である。すなわち、本窓枠３０は、支持枠２０を介さずに取付片部３１４，３２５，３３４を壁パネル２の室外面に直接固定することで、外壁面から室外側に突出した半外付けのサッシ窓が構成できるようになっている。このような半外付け用サッシ枠は、一般的に用いられており、その製品バリエーションや製品点数が非常に多く、本実施形態の引違い窓形式の他に、嵌め殺し窓や片引き窓、開き窓、辷り出し窓等の多数の形式のものに利用可能である。つまり、本実施形態においては、本窓枠３０は、支持枠２０に対して着脱可能に取り付けられており、この本窓枠３０を交換することによって、各種形式の窓に改装する、あるいは新しい窓に交換することができるようになっている。
【００２６】
図１１において、本窓枠３０を支持枠２０から取り外すにあたり、先ず、額縁材６を取り外すとともに内装材４の開口周縁の一部を切り欠いてから、切り欠いた下地材４２を取り外す。次に、窓枠体の四周において、連結部材４１を壁パネル２に固定しているビス４４（図３〜５）、および連結部材４１と本窓枠３０および支持枠２０とを連結しているビス４５を外し、連結部材４１を窓枠体から取り外す。これにより、本窓枠３０が支持枠２０から取り外し可能になる。
次に、本窓枠３０の上本窓枠３１側を室内側に倒しながら、上方に持ち上げて本窓枠３０を支持枠２０から室内側に取り外す。そして、以上の手順と逆の手順で新たな本窓枠としての嵌め殺し窓１０Ａ用の本窓枠５０（図１２、１３）を取り付け、連結部材４１で連結するとともに、内装材４を取り付け直すことで改装が完了する。
この際、本窓枠３０，５０の取り外しおよび取り付けの作業は、室内側から実施でき、外装材３および支持枠２０を壊したり、取り外したりする必要がない。従って、改装作業の手間がかからず、また、高層建物等のように室外側からの作業が困難な場合であっても容易に改装作業ができるようになっている。
なお、改装時ではなく新設時における引違い窓１０の取付方法としては、まず外壁１の開口部５に支持枠２０を固定しておき、その後に室内側から本窓枠３０を取り付けてもよく、また、予め支持枠２０と本窓枠３０とを連結部材４１で連結しておき、これらを開口部５に室外側から取り付けてもよい。
【００２７】
図１２、１３において、改装された嵌め殺し窓１０Ａは、前述と同一の支持枠２０と、上本窓枠５１、下本窓枠５２、および左右の縦本窓枠５３を四周枠組みして形成され、その内部に移動不能に支持されたパネル体としてのガラスパネル５５を有した本窓枠５０とを備えて構成されいる。そして、支持枠２０の上支持枠２１と本窓枠５０の上本窓枠５１とによって上枠体１１が構成され、下支持枠２２と下本窓枠５２とによって下枠体１２が構成され、縦支持枠２３と縦本窓枠５３とによって縦枠体１３が構成され、これらがそれぞれ互いに連結部材４１（４１１，４１２，４１３）で連結されている。また、嵌め殺し窓１０Ａの室内側には、前記額縁材６およびケーシングアタッチメント４３に代えて、上本窓枠５１、下本窓枠５２、および縦本窓枠５３と内装材４との間に取り付けられたケーシング材４６が設けられている。このケーシング材４６は、内装材４の開口端縁を覆う延出片４６Ａを有しており、前記ケーシングアタッチメント４３と同様に、上本窓枠５１、下本窓枠５２、および縦本窓枠５３にビス止め固定されている。
【００２８】
本窓枠５０の上本窓枠５１は、室外側に配置されるアルミ押出形材製の室外部材５１Ａと、室内側に配置される樹脂製の室内部材５１Ｂとを備えて構成されている。上本窓枠５１の室外部材５１Ａは、室内外に延びる上面部５１１と、この上面部５１１の室外側から下方に延出してガラスパネル５５を支持するパネル支持片５１２と、上面部５１１の室内側から上方（見付け方向外側）に突出し、上支持枠２１の支持片部２１５の室内側に沿って延びる取付片部５１４とを有している。この取付片部５１４は、連結部材４１１を貫通するビス４５によって、上支持枠２１の支持片部２１５に係合され、これにより上本窓枠５１が上支持枠２１に連結されている。また、上本窓枠５１の室内部材５１Ｂは、室外部材５１Ａに係合して取り付けられるとともに、室内側からガラスパネル５５を押圧する押縁として機能するようになっている。
【００２９】
下本窓枠５２は、それぞれアルミ押出形材製の室外部材５２Ａおよび室内部材５２Ｂと、これらを連結する樹脂製の断熱部材５２Ｃとを有して構成されている。下本窓枠５２の室外部材５２Ａは、室内外に延びる底面部５２１と、上方に延出してガラスパネル５５を支持するパネル支持片５２２と、底面部５２１の室内側から下方（見付け方向外側）に突出し、下支持枠２２の支持片部２２６の室内側に沿って延びる取付片部５２５とを有している。この取付片部３２５は、下支持枠２２にビス４５で係合された連結部材４１２と、下支持枠２２の支持片部２２６との間に挿入され、これにより下支持枠２２と下本窓枠５２とが連結されている。また、下本窓枠５２の室内部材５２Ｂは、連結部材４１２上に載置されるとともに、室内側からガラスパネル５５を押圧する押縁として機能するようになっている。
【００３０】
縦本窓枠５３は、室外側に配置されるアルミ押出形材製の室外部材５３Ａと、室内側に配置される樹脂製の室内部材５３Ｂと、この室内部材５３Ｂを室外部材５３Ａに取り付けるための樹脂製の取付部材５３Ｃとを備えて構成されている。縦本窓枠５３の室外部材５３Ａは、室内外に延びる側面部５３１と、この側面部５３１から見付け方向内側に延出してガラスパネル５５を支持するパネル支持片５３２と、側面部５３１の室内側よりの位置から見付け方向外側に突出し、縦支持枠２３の支持片部２３５の室内側に沿って延びる取付片部５３４とを有している。この取付片部５３４は、連結部材４１３を貫通するビス４５によって、縦支持枠２３の支持片部２３５に連結されている。また、縦本窓枠５３の室内部材５３Ｂは、室外部材５３Ａにビス止めされた取付部材５３Ｃに係合されるとともに、室内側からガラスパネル５５を押圧する押縁として機能するようになっている。
【００３１】
以上のように、嵌め殺し窓１０Ａのガラスパネル５５は、その四周が本窓枠５０の上本窓枠５１、下本窓枠５２、および左右の縦本窓枠５３によって支持されている。すなわち、ガラスパネル５５は、上本窓枠５１における室外部材５１Ａのパネル支持片５１２と室内部材５１Ｂとの間にシール材を介して上縁が挟持され、下本窓枠５２における室外部材５２Ａのパネル支持片５２２と室内部材５２Ｂとの間にシール材を介して下縁が挟持され、縦本窓枠５３における室外部材５３Ａのパネル支持片５３２と室内部材５３Ｂとの間にシール材を介して側縁が挟持されている。
【００３２】
このような本実施形態によれば、以下のような効果がある。
（１）すなわち、支持枠２０と本窓枠３０，５０とが連結部材４１で連結されているため、外壁１の開口部５への取付時において、まず支持枠２０を開口部５に取り付けておいてから本窓枠３０，５０を連結部材４１で室内側から連結して取り付けることもでき、また支持枠２０と本窓枠３０，５０とを連結部材４１で連結した状態で開口部５に取り付けることもできる。従って、窓が設けられる建物外壁１の位置等に応じて取付手順を適宜選択することができ、作業性を向上させることができる。
【００３３】
（２）また、改装時において、支持枠２０と本窓枠３０，５０との連結部材４１による連結を室内側から外すことで、本窓枠３０，５０を取り外すことができるとともに、支持枠２０を外壁１の開口部５から取り外す必要がないので、本窓枠３０，５０の交換作業を容易に実施することができる。
【００３４】
（３）さらに、本窓枠３０，５０を室内側から支持枠２０に取り付けることで、本窓枠３０，５０の取付作業および交換作業が室内側から実施でき、これらの作業性をより一層高めることができる。すなわち、２階以上の階であって外部にバルコニー等がない外壁１に窓が設けられた場合であっても、足場やクレーン等の大掛かりな設備を用いる必要がなく、室内側から簡単かつ迅速に取り付け、交換作業ができる。
【００３５】
（４）また、連結部材４１により支持枠２０および本窓枠３０，５０を連結するとともに、連結部材４１を外壁１の開口部５に固定することで、本窓枠３０，５０の取付強度を高めることができる。そして、ビス４５で螺合して支持枠２０の支持片部２１５，２３５と本窓枠３０，５０の取付片部３１４，３３４，５１４，５３４と連結部材４１とを連結することで、本窓枠３０，５０の取付作業が容易にできるとともに、ビス４５を緩めることでこれらの連結を外すことができ、本窓枠３０，５０の交換作業が容易に実施できる。
【００３６】
（５）さらに、支持枠２０の支持片部２１５，２２６，２３５と本窓枠３０，５０の取付片部３１４，３２５，３３４，５１４，５２５，５３４との間には、シール材２１５Ａ，２２６Ａ，２３５Ａが介装されているので、止水性能を確保することができる。
【００３７】
（６）また、連結部材４１を金属製ピース材で構成し、上下左右の各枠体１１，１２，１３において、それぞれ複数箇所で支持枠２０および本窓枠３０，５０を連結することで、所定の連結強度を確保しつつ、連結部材４１を共通化できて部品点数の削減を図ることができる。
【００３８】
（７）また、略コ字形に開口した連結部材４１の開口部に下地材４２を圧入することで、連結部材４１の強度を高めることができる。また、下地材４２を外壁１の開口部５の四周に沿って連続させることで、支持枠２０と本窓枠３０，５０との間の室内側にできた隙間を下地材４２によって塞ぐことができ、断熱性能を高めることができる。
【００３９】
（８）また、下地材４２を木製や再生木等の木質材料から構成することで、この下地材４２に内装材４を釘打ち等により固定することができる。
【００４０】
（９）また、本窓枠３０，５０を製品バリエーションや製品点数が非常に多い半外付け用サッシ枠を用いて構成したことで、多種多様なサイズや形式の窓を安価に構成することができる。そして、半外付け用サッシ枠において通常外壁に固定するために設けられた取付片部３１４，３２５，３３４，５１４，５２５，５３４を、支持枠２０の支持片部２１５，２２６，２３５に係合させて支持枠２０に本窓枠３０を取り付けることで、半外付け用サッシ枠に対する加工の必要がなく、コスト増加を招かずに半外付け用サッシ枠を本窓枠３０，５０として転用することができる。
【００４１】
〔第２実施形態〕
次に、本発明の第２実施形態に係るサッシ窓である嵌め殺し窓１０Ｂについて、図１４、１５に基づいて説明する。図１４は、嵌め殺し窓１０Ｂを示す縦断面図である。図１５は、嵌め殺し窓１０Ｂを示す横断面図である。
本実施形態の嵌め殺し窓１０Ｂは、前述の第１実施形態における嵌め殺し窓１０Ａと略同様の構成を備え、支持枠の構成が第１実施形態と相違する。そして、外壁１における外装材および室内側の額縁材の構成が第１実施形態と相違している。相違点について以下に詳しく説明する。
【００４２】
図１４、１５において、嵌め殺し窓１０Ｂは、外壁１の開口部５に固定される支持枠６０と、前述の第１実施形態と同様の本窓枠５０と、この本窓枠５０の内部に移動不能に支持されたガラスパネル５５とを備えて構成されている。ここで、本窓枠としては、嵌め殺し窓形式の半外付けサッシを用いるが、この本窓枠は、前述の引き違い窓形式の本窓枠３０を用いてもよく、また片引き窓や、開き窓、辷り出し窓等各種形式の本窓枠が採用可能である。
支持枠６０は、上支持枠６１、下支持枠６２、および左右の縦支持枠６３を四周枠組みして形成されている。そして、これらの上支持枠６１、下支持枠６２、および縦支持枠６３は、第１実施形態の上支持枠２１、下支持枠２２、および縦支持枠２３と略同様に、室内外側に延びる見込み片部６１１，６２１，６３１と、壁パネル２の室外面に沿って延びる固定片部６１２，６２２，６３２と、見込み片部６１１，６２１，６３１から見付け方向内側に延びる支持片部６１５，６２６，６３５とを有している。これらの支持片部６１５，６２６，６３５に本窓枠５０の取付片部５１４，５２５，５３４が連結部材４１により連結されることで、本窓枠５０が支持枠６０に固定されている。
【００４３】
支持枠６０の上支持枠６１および縦支持枠６３には、下支持枠６２の水切り片部６２３と同様に、外壁１の室外面よりも室外側に突出した突出片部６１６，６３６が設けられている。これらの突出片部６１６，６３６および水切り片部６２３は、四周連続するように連結されており、これらによって嵌め殺し窓１０Ｂの外部に設けられた室外額縁部（モール）６５が構成されている。そして、この室外額縁部６５の見付け方向外側にシール材３Ｂを介して外装材３Ａが接続されている。この外装材３Ａは、プレキャストのセメント成形板あるいはＰＣ板から構成され、壁パネル２の室外側に適宜な固定手段により固定されている。なお、室外額縁部６５は、支持枠６０の上支持枠６１、下支持枠６２、および縦支持枠６３に一体に形成されたものに限らず、別体で形成した室外額縁材を支持枠６０に取り付けて構成したものでもよい。
一方、嵌め殺し窓１０Ｂの室内側に設けられる額縁材６は、その突出部６Ａが内装材４の開口端縁に沿って室外側に延びてケーシングアタッチメント４３に取り付けられている。
【００４４】
このような本実施形態によれば、前述の効果と略同様の効果に加え、以下の効果を奏することができる。
（10）すなわち、支持枠６０に一体または別体に室外額縁部６５を設けることで、サッシ窓における外観意匠の設計自由度を高めることができるとともに、本窓枠５０との連結構造を変更する必要がないため、各種形式の本窓枠を採用することができる。
【００４５】
〔第３実施形態〕
次に、本発明の第３実施形態に係るサッシ窓である引違い窓１０Ｃについて、図１６〜１８に基づいて説明する。図１６は、引違い窓１０Ｃの上枠部分を示す縦断面図である。図１７は、引違い窓１０Ｃを示す横断面図である。図１８は、引違い窓１０Ｃの変形例を示す上枠部分の縦断面図である。
本実施形態の引違い窓１０Ｃは、前述の第１実施形態における引違い窓１０と略同様の構成を備え、支持枠に室外付属部材が取り付けられている点が第１実施形態と相違する。相違点について以下に詳しく説明する。
【００４６】
図１６〜１８において、引違い窓１０Ｃは、外壁１の開口部５に固定される支持枠７０と、前述の第１実施形態と同様の本窓枠３０と、この本窓枠３０の内部に開閉自在に支持された一組の障子１５とを備えて構成されている。ここで、本窓枠としては、引き違い窓形式の半外付けサッシを用いるが、この本窓枠は、前述の嵌め殺し窓形式の本窓枠５０を用いてもよく、また片引き窓や、開き窓、辷り出し窓等各種形式の本窓枠が採用可能である。
支持枠７０は、上支持枠７１、下支持枠７２、および左右の縦支持枠７３を四周枠組みして形成されている。そして、これらの上支持枠７１、および縦支持枠７３は、第１実施形態の上支持枠２１、および縦支持枠２３と略同様に、室内外側に延びる見込み片部７１１，７３１と、壁パネル２の室外面に沿って延びる固定片部７１２，７３２と、見込み片部７１１，７３１から見付け方向内側に延びる見付け片部７１３，７３３および支持片部７１５，７３５とを有している。これらの支持片部７１５，７３５に本窓枠３０の取付片部３１４，３３４が連結部材４１により連結されることで、本窓枠３０が支持枠７０に固定されている。また、支持枠７０の上支持枠７１および縦支持枠７３において、各々の見込み片部７１１，７３１には、それぞれ係合片部７１６，７３６が設けられ、各々の見付け片部７１３，７３３には、それぞれ係合片部７１７，７３７が設けられている。
【００４７】
そして、図１６に示すように、上支持枠７１の室外側には、室外付属部材としてのロールスクリーン用ボックス７５が取り付けられている。このロールスクリーン用ボックス７５は、上支持枠７１および壁パネル２に固定される第１外装体７５１を有している。第１外装体７５１は、その下端面が見込み方向室内側に延びて上支持枠７１の係合片部７１６，７１７に係合されるとともに、上支持枠７１の固定片部７１２を覆って壁パネル２に沿って上方に延びる側面部７５２と、側面部７５２の上部から室外側に延びる上面部７５３と、側面部７５２の上方に延びて壁パネル２に固定される固定部７５４とを有して形成されている。そして、第１外装体７５１には、ロールスクリーン用ボックス７５の底面部を覆う第２外装体７５５と、前面部を覆う第３外装体７５６とが係合されている。これらの第１〜第３外装体７５１，７５５，７５６で囲まれた内部には、軸部材７５７と、この軸部材７５７に巻き付けられたスクリーン７５８とが設置されている。そして、手動または電動により軸部材７５７が回転駆動されることでスクリーン７５８が下降または上昇し、引違い窓１０Ｃ前面を覆って遮光でき、または開放できるようになっている。
【００４８】
また、図１７に示すように、縦支持枠７３の室外側には、アルミ形材製の外部縦枠材７６が取り付けられている。この外部縦枠材７６は、縦支持枠７３の係合片部７３６，７３７に係合されるとともに、その上端がロールスクリーン用ボックス７５に接続され、下端が下支持枠７２に接続されている。そして、外部縦枠材７６の側面には、外壁１の外装材３が当接されて位置決めされている。
【００４９】
一方、図１８に示すように、前記ロールスクリーン用ボックス７５に代えて、上支持枠７１の室外側に室外付属部材として庇部材７７を取り付けてもよい。この庇部材７７は、底面部７７１および上面部７７２を有して中空状に形成されており、上支持枠７１の係合片部７１６，７１７に係合されるとともに、上支持枠７１の固定片部７１２を覆って上方に延びる固定部７７３が壁パネル２にビス止め固定されている。このような庇部材７７によって、引違い窓１０Ｃへの雨がかりや、障子１５を開放した状態における室内空間への雨の浸入が防止できるようになっている。
【００５０】
このような本実施形態によれば、前述の効果と略同様の効果に加え、以下の効果を奏することができる。
（11）すなわち、支持枠７０の室外側に室外付属部材としてのロールスクリーン用ボックス７５や外部縦枠材７６、庇部材７７を取り付けることで、サッシ窓に各種の機能を簡単に付加することができるとともに、本窓枠３０との連結構造を変更する必要がないため、各種形式の本窓枠を採用することができる。
【００５１】
なお、本発明は、前記各実施形態に限定されるものではなく、本発明の目的を達成できる他の構成等を含み、以下に示すような変形等も本発明に含まれる。
例えば、前記各実施形態では、本窓枠３０，５０を開口部５内における外壁１の室外面１Ａよりも見込み方向室内寄りに設け、内付けサッシ窓を構成したが、これに限らず、本窓枠を室外寄りや見込み方向中央位置に設けてもよい。
また、本窓枠３０，５０として外付け用サッシを用いたが、本窓枠の形態は特に限定されず、他の形態のサッシを用いてもよい。
【００５２】
また、前記実施形態では、連結部材４１を短尺の金属製ピース材とし、断面略コ字形に形成したが、これに限らず、各枠体に沿った長尺部材から構成してもよく、また、略Ｃ字形や略Ｌ字形等の断面形状を有して形成されていてもよい。さらに、連結部材４１に下地材４２が嵌め込まれたものに限らず、単にビス止め等により下地材４２が連結部材４１に取り付けられていてもよく、下地材４２が連結部材４１と接続されずに設けられていてもよい。
また、充填部材としては、木製の下地材４２を用いたが、これに限らず、連結部材４１に充填する充填部材と内装材４を固定する下地材とが別体で構成されていてもよい。
【００５３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５４】
【図１】本発明の第１実施形態に係るサッシ窓が設けられた建物の外壁部分を示す縦断面図である。
【図２】前記外壁部分を示す横断面図である。
【図３】前記サッシ窓の上枠部分を拡大して示す縦断面図である。
【図４】前記サッシ窓の下枠部分を拡大して示す縦断面図である。
【図５】前記サッシ窓の縦枠部分を拡大して示す横断面図である。
【図６】前記外壁の一部を省略して室内側から見た窓枠体を示す正面図である。
【図７】前記窓枠体および外壁の一部を示す斜視図である。
【図８】前記窓枠体および外壁の一部を示す斜視図である。
【図９】前記実施形態の連結部材を示す斜視図である。
【図１０】(Ａ)〜(Ｃ)は、前記連結部材を示す三面図である。
【図１１】前記サッシ窓の改装方法を説明する縦断面図である。
【図１２】前記改装したサッシ窓を示す縦断面図である。
【図１３】前記改装したサッシ窓を示す横断面図である。
【図１４】本発明の第２実施形態に係るサッシ窓を示す縦断面図である。
【図１５】前記サッシ窓を示す横断面図である。
【図１６】本発明の第３実施形態に係るサッシ窓の上枠部分を示す縦断面図である。
【図１７】前記サッシ窓を示す横断面図である。
【図１８】前記サッシ窓の変形例を示す上枠部分の縦断面図である。
【符号の説明】
【００５５】
１…外壁、４…内装材、５…開口部、１０，１０Ｃ…サッシ窓である引違い窓、１０Ａ，１０Ｂ…サッシ窓である嵌め殺し窓、１５…パネル体である障子、２０，６０，７０…支持枠、２１，６１，７１…上支持枠、２２，６２，７２…下支持枠、２３，６３，７３…縦支持枠、３０，５０…本窓枠、３１，５１…上本窓枠、３２，５２…下本窓枠、３３，５３…縦本窓枠、４１…連結部材、４２…充填部材である下地材、４５…ビス、５５…パネル体であるガラスパネル、２１５，２２６，２３５，６１５，６２６，６３５，７１５，７３５…支持片部、３１４，３２５，３３４，５１４，５２５，５３４…取付片部。
【図１】
2005320741.tif 000003
【図２】
2005320741.tif 000004
【図３】
2005320741.tif 000005
【図４】
2005320741.tif 000006
【図５】
2005320741.tif 000007
【図６】
2005320741.tif 000008
【図７】
2005320741.tif 000009
【図８】
2005320741.tif 000010
【図９】
2005320741.tif 000011
【図１０】
2005320741.tif 000012
【図１１】
2005320741.tif 000013
【図１２】
2005320741.tif 000014
【図１３】
2005320741.tif 000015
【図１４】
2005320741.tif 000016
【図１５】
2005320741.tif 000017
【図１６】
2005320741.tif 000018
【図１７】
2005320741.tif 000019
【図１８】
2005320741.tif 000020